(57)【要約】【課題】露光中にエラーが発生した場合、エラーを発生した出力物を容易に判別できるようにした画像形成装置を提供する。【解決手段】この画像形成装置は、画像データを記憶するハードディスク部と、ハードディスク部から読み出した画像データを一時的に記憶するメモリと、メモリから読み出した画像データに基づいて記録材料に画像を形成する画像形成部と、画像形成中に発生したエラーを検出する手段と、を備え、画像形成中にエラーを検出したときに記録材料に対して元画像とは異なる画像を再形成する。【選択図】  図６
2004314393.tif 000002
【特許請求の範囲】
【請求項１】
画像データを記憶するハードディスク部と、
前記ハードディスク部から読み出した画像データを一時的に記憶するメモリと、
前記メモリから読み出した画像データに基づいて記録材料に画像を形成する画像形成部と、
前記画像形成中に発生したエラーを検出する手段と、を備え、
前記画像形成中にエラーを検出したときに前記記録材料に対して元画像とは異なる画像を再形成することを特徴とする画像形成装置。
【請求項２】
前記画像形成中に発生するエラーの種類に応じて前記再形成する画像の色とパターンとの少なくとも一方を変えることを特徴とする請求項１に記載の画像形成装置。
【請求項３】
前記画像形成中にエラーを検出したとき、前記記録材料上の画像形成領域のみを元画像と異なる画像データで再形成することを特徴とする請求項１または２に記載の画像形成装置。
【請求項４】
前記画像形成中にエラーを検出したときの前記記録材料上の位置に応じて前記再形成を行うかまたは画像形成を中断するかを判断することを特徴とする請求項１，２または３に記載の画像形成装置。
【請求項５】
前記画像形成した後の記録材料を搬送しアキュームするアキュームレート部と、前記記録材料について現像処理する現像部と、を備え、
前記再形成した記録材料を前記現像部に送り現像を行うことを特徴とする請求項１乃至４のいずれか１項に記載の画像形成装置。
【発明の詳細な説明】
【０００１】
【発明の属する技術分野】
本発明は、画像データ用バッファーメモリとしてハードディスクを使用する画像形成装置に関するものである。
【０００２】
【従来の技術】
印刷製版工程では最終的な印刷作業を行う前に、出力対象の絵柄、色調、文章、文字等の確認を行うためにプルーフ（校正用サンプル）を作成するのが一般的である。このプルーフ作成のための画像データを画像形成装置に送り、画像形成装置において露光部でドラムの周囲に巻き付けた記録紙に画像データに基づいて露光を行い、その後、ドラムから記録紙を剥離しアキュームレート部等を介して搬送し現像部で現像処理を行いカラープルーフとして出力する（下記特許文献１参照）。
【０００３】
画像データを受信し露光する際に、画像データをバッファメモリにいったん保存し順次読み出しながら露光部に送り露光を行うが、この露光中に、読み出し遅延による画像データ欠損等によりエラーが発生した場合には、記録紙を露光部からアキュームレート部へと搬送し廃棄し、廃棄された記録紙をユーザがアキュームレート部から取り除くことでエラー解除としていた。
【０００４】
上述のような画像形成装置ではハードディスクを画像バッファに使用すると、ハードディスクからの読み出し遅延による画像データ欠損によるエラーが発生する場合がある。エラーが発生した後、記録紙をアキュームレート部に廃棄すると、アキュームレート部から記録紙を取り除かないとエラー状態から復帰できない。一方、エラー発生後、記録紙をアキュームに廃棄せず現像部へ搬送すると、エラー解除操作は不要となるが、画像欠損のある出力物が正常な出力物に混じることになる。
【０００５】
このとき、エラーが露光終了直前で発生した場合など画像データ欠損が微小な場合、正常な出力物と判別しがたいため、画像欠損のある出力物と正常な出力物をとり違えるおそれがある。
【０００６】
【特許文献１】
特開２０００−１５８７２８公報
【０００７】
【発明が解決しようとする課題】
本発明は、上記従来技術の問題に鑑み、露光中にエラーが発生した場合、エラーを発生した出力物を容易に判別できるようにした画像形成装置を提供することを目的とする。
【０００８】
【課題を解決するための手段】
上記目的を達成するために、本発明による画像形成装置は、画像データを記憶するハードディスク部と、前記ハードディスク部から読み出した画像データを一時的に記憶するメモリと、前記メモリから読み出した画像データに基づいて記録材料に画像を形成する画像形成部と、前記画像形成中に発生したエラーを検出する手段と、を備え、前記画像形成中にエラーを検出したときに前記記録材料に対して元画像とは異なる画像を再形成することを特徴とする。
【０００９】
この画像形成装置によれば、画像形成中にエラーが発生した場合、別データで画像を再形成することにより、エラーを発生した出力物を容易に判別できる。
【００１０】
上記画像形成装置において前記画像形成中に発生するエラーの種類に応じて前記再形成する画像の色とパターンとの少なくとも一方を変えることで、エラー発生状況を容易に把握できる。
【００１１】
また、前記画像形成中にエラーを検出したとき、前記記録材料上の画像形成領域のみを元画像と異なる画像データで再形成することで、同一の記録材料に複数の画像を配置して形成する場合にエラーが発生していない画像ヘの影響をなくすことができる。
【００１２】
また、前記画像形成中にエラーを検出したときの前記記録材料上の位置に応じて前記再形成を行うかまたは画像形成を中断するかを判断することで、エラーの記録材料上の発生位置によりエラー発生が比較的容易に分かる場合に別データで画像を再形成せずに中断できるので、無駄な画像形成を省くことができる。
【００１３】
また、前記画像形成した後の記録材料を搬送しアキュームするアキュームレート部と、前記記録材料について現像処理する現像部と、を備え、前記再形成した記録材料を前記現像部に送り現像を行うように構成できる。
【００１４】
上述のように、エラーを発生した出力物が容易に判別可能であるので、画像データ欠損等のエラーが発生しても記録材料をアキュームレート部へ廃棄せずに、正常終了した画像と同様に現像処理を行うことが可能となる。これにより、アキュームレート部から記録材料を取り除く必要がなくなり、エラー解除が簡単かつ短時間で可能となる。
【００１５】
【発明の実施の形態】
以下、本発明による実施の形態について図面を用いて説明する。図１は本実施の形態による画像形成装置の内部を正面側から見た図である。図２は図１の画像形成装置のドラム及び光学ユニットを上部から見た要部平面図である。
【００１６】
図１に示すように、本実施の形態による画像形成装置１は、記録材料に露光し画像を形成する露光部１１と、露光された記録材料を現像する現像部２１と、を備える。露光部１１は、内部にロール状に巻かれたシート状の記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙を外周面に真空吸引し保持しながら主走査のために回転方向Ｒに回転するドラム１０と、ドラム１０上の記録紙に対しやＬＥＤ光やレーザ光等の光ビームを露光する光学ユニット１６と、光学ユニット１６を副走査のために副走査方向（図１の紙面垂直方向）に搬送する副走査部１７と、画像記録後のドラム上の記録紙を剥離する剥離部材１８ａと、剥離した記録紙を搬送ローラ対１８ｃへと案内するガイド部１５と、記録紙をアキュームするアキュームレート部１８ｂと、を備える。露光後の記録紙は搬送ローラ対１８ｃにより出口１９及び接続部１９ａを通して現像部２１へと搬送される。
【００１７】
図１の現像部２１は、露光部１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００１８】
図２のように、画像形成装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム回転モータＭ６の出力プーリ３５ｂとベルト３６により連結され、ドラム回転モータＭ６の駆動によりドラム１０が回転する。また、ドラム１０の回転軸１５ａには、ロータリエンコーダ３７が設けられ、回転パルス信号を出力してドラム回転に同期した画素クロック制御等に用いる。
【００１９】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて記録紙がドラム１０の表面に吸着される。
【００２０】
光学ユニット１６は、副走査部１７によりドラム軸と平行に移動可能に構成され、デジタル画像信号を受けてドラム１０に吸着された記録紙に光ビームで露光して画像の書き込みを行う。図２に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。各ＬＥＤユニット３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２１】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００２２】
図２に示すように、吸引ブロアＰ１は空気吸引ポンプにより吸引連結管５１を通してドラム１０内を吸引し、露光部１１による露光開始前にドラム１０内を負圧にし記録紙を外周面に吸着する。
【００２３】
次に、図１，図２の画像形成装置の画像データ信号の流れ及び制御について図３を参照して説明する。図３は図１，図２の画像形成装置の制御系に関するブロック図である。
【００２４】
図１乃至図３の画像形成装置１において出力対象の絵柄、色調、文章、文字等の確認を行うためのプルーフ（校正用サンプル）を作成するために、外部の画像処理装置でＲＩＰ（Ｒａｓｔｅｒ  Ｉｍａｇｅ  Ｐｒｏｃｅｓｓｏｒ）後のラスターデータから網点画像データを作成し、この網点画像データを画像処理装置から画像形成装置１に転送する。
【００２５】
図３に示すように、画像形成装置１は、上述のように送られて入力した画像データを記憶できるように比較的大記憶容量を有するとともに露光のために画像データを読み出し出力するハードディスク部（ＨＤ）４２と、ハードディスク部４２から出力された画像データをいったん記憶してから書き込み順に読み出して露光部１１に出力するＦＩＦＯ（Ｆｉｒｓｔ  Ｉｎ  Ｆｉｒｓｔ  Ｏｕｔ）メモリ４４と、を備える。ハードディスク部４２から画像データを読み出しＦＩＦＯメモリ４４を介して露光部１１に出力しながら露光部１１で記録紙に露光を行う。
【００２６】
また、図３のように、画像形成装置１は、装置全体の制御を行うＣＰＵ（中央演算処理装置）４１と、ハードディスク部（ＨＤ）４２を制御するＨＤコントローラ４３と、露光中にハードディスク部４２からの読み出し遅延等に起因した画像データ欠損等により発生したエラーを検出するエラー検出部４５と、を備える。
【００２７】
上記画像形成装置１のエラー検出部４５等におけるエラー検出手段について二例説明する。図４はＦＩＦＯメモリ４４のステータスフラグを用いて露光部１１に対する画像データ欠損によるエラーを検出する第１の手段を説明するための図である。
【００２８】
図４に示すように、ＦＩＦＯメモリ４４では、メモリが全て空（エンプティ）のとき、データ入口側から入力した画像データが自動的に出口側のメモリアレイ部Ｍ１に書き込まれて格納され、この書き込み順に画像データがメモリアレイ部Ｍ１よりも出口側から離れたメモリアレイ部Ｍ２，Ｍ３，Ｍ４，・・・，Ｍｎの順に格納され、画像データがデータ出口側のメモリアレイ部Ｍ１から古い順に図２のドラム１０の回転に同期して読み出されて露光部１１に出力する。このような動作のとき、メモリアレイ部Ｍ１〜Ｍｎのデータが全て空のとき、エンプティフラグ（ＥＦ）４４ａが立ち、全てに書き込まれているとき、フルフラグ（ＦＦ）４４ｂが立つ。エラー検出部４５は、エンプティフラグ（ＥＦ）４４ａ等ののステータスに基づいてハードディスク部４２からの画像データの読み出しが順調に行われているか否かを判断する。
【００２９】
例えば、露光部１１への出力中にＦＩＦＯメモリ４４のエンプティフラグ（ＥＦ）４４ａが立ったとき、ハードディスク部４２からの画像データが欠損したと判断し、エラーを検出できる。なお、フルフラグ（ＦＦ）４４ｂは、ＨＤコントローラ４３がＦＩＦＯメモリ４４へのデータ書き込みの制御に使用し、例えば、フルフラグ（ＦＦ）４４ｂが立ったとき、ＦＩＦＯメモリ４４へのデータ書き込みを中断し、フルフラグ（ＦＦ）４４ｂが立たないとき、ＦＩＦＯメモリ４４へのデータ書き込みを行う。
【００３０】
次に、露光部１１に対する画像データ欠損によるエラーを検出する第２の手段について図１乃至図３，図５を参照して説明する。図５はエラーを検出する第２の手段を説明するためのフローチャートである。
【００３１】
図３のＣＰＵ４１が所定量の画像データの出力を命令すると（Ｓ２１）、ＣＰＵ４１の制御下でハードディスク部４２から所定量の画像データをＦＩＦＯメモリ４４を通して出力し（Ｓ２２）、この所定量の画像データに基づいて露光部１１で記録紙に露光する（Ｓ２３）。この露光は、図１，図２のドラム１０を主走査方向Ｒに回転しながら行われるが、そのときのドラム１０の回転量をロータリエンコーダ３７で測定し、その回転パルス信号による測定信号をＣＰＵ４１に送る。ドラム１０の所定回転量に同期してロータリエンコーダ３７から発生する測定信号に基づいて露光時のドラム１０の回転量を測定する（Ｓ２４）。
【００３２】
ドラム１０の回転量と画像データ量とは対応するので、ＣＰＵ４１は測定した露光時のドラム１０の回転量と出力命令時の画像データ量とを比較し、命令通りの画像データ量が露光されたか否かを判断する（Ｓ２５）。ＣＰＵ４１は、ハードディスク部４２からの画像データの読み出し及びＦＩＦＯメモリ４４への書き込みを制御するので、ハードディスク部４２から読み出した画像データの量が分かっている。従って、ドラム１０の回転量に対してハードディスク部４２からの画像データの読み出し量が少なければ、画像データの欠損が発生したと判断し、エラーを検出する（Ｓ２６）。例えば、ドラム１０が１０回転しているのに、画像データが８回転分しか読み出されていなければ、画像データが欠損したと判断する。
【００３３】
以上のように、図５のエラーを検出する第２の手段によれば、ソフト的な構成により露光部１１に対する画像データ欠損が発生したことを検出できる。
【００３４】
図３のＣＰＵ４１は、記録紙に対する画像データの露光中に上述のようにしてエラーを検出すると、別データで露光中の画像と異なる画像をその記録紙に再露光するように制御する。この再露光による画像は、露光中の画像と異なることが明らかに分かるような画像とし、例えばベタ画像やストライプ模様の画像が好ましい。
【００３５】
また、上述のエラー発生位置をロータリエンコーダ３７で測定した回転量から判断し、そのエラー発生位置に基づいて露光を中断するか、または、上述のように露光中の画像と異なる画像を再露光するかを判断する。これにより、例えば、エラー発生が明らかに分かるような記録紙上の位置でエラーが発生した場合、再露光せずに、そのまま出力させることで、無駄な露光を省略できる。
【００３６】
次に、図１乃至図５の画像形成装置１の動作を図６，図７を参照して説明する。図６は画像形成装置１の動作を説明するためのフローチャートである。図７は記録紙に形成された画像を示す図であり、正常に画像を形成した様子を模式的に示す図（ａ）及びエラーが検出されて元画像と異なる画像を形成した様子を模式的に示す図（ｂ）である。
【００３７】
まず、図３のＣＰＵ４１の制御の下で外部から画像データが入力すると、ハードディスク部４２に入力し記憶させ（Ｓ０１）、次に、ハードディスク部４２から画像データを読み出し、ＦＩＦＯメモリ４４を介して露光部に出力する（Ｓ０２）。
【００３８】
次に、図１〜図３の露光部１１において、装填部１２または１２’のカートリッジ１３から記録紙を給送部１４を通してドラム１０に給送し、記録紙をカッタ１０ａで切断し、吸引ブロアＰ１を作動させドラム１０の内部を負圧にし、記録紙をドラム１０の外周面に真空吸引し保持し、光学ユニット１６からレーザ光をドラム１０上の記録紙に対し露光する（Ｓ０３）。この露光時にドラム１０を回転方向Ｒに回転させて主走査し、光学ユニット１６を副走査部１７で副走査することで、記録紙に画像形成を行う。
【００３９】
上記露光中に、図４または図５のようにしてエラーが発生したか否かを検出し（Ｓ０４）、エラー発生を検出したとき露光を中断し（Ｓ０５）、記録紙上のエラー発生位置を検出し（Ｓ０６）、そのエラー発生位置に基づいて露光中の画像とは異なる画像を露光するか否かを判断する（Ｓ０７）。この結果、元画像とは異なる画像を露光するときは、別データでその記録紙に再露光する（Ｓ０８）。
【００４０】
例えば、図７（ａ）のように記録紙Ｓに画像Ｓ１を形成することが正常である場合、図７（ｂ）のように記録紙の大部分の領域ａに図の上から下に向けて図７（ａ）の画像Ｓ１を形成した後に、残り僅かな領域ｂでエラーを発生したときは、その画像を形成した記録紙がそのまま出力されてしまうと、ユーザはエラーが発生した画像であるかを容易に判別できないので、図７（ｂ）のように記録紙Ｓの元画像Ｓ１に対応する領域（ａ，ｂ）の全面に元画像Ｓ１と異なる画像Ｓ２を再露光により形成する。
【００４１】
また、上記ステップＳ０７の判断で元画像とは異なる画像を再露光しないとしたときは、露光を中断したままで画像形成終了とする（Ｓ０９）。例えば、図７（ｂ）の上から下に向けて領域ａ’まで図７（ａ）の元画像Ｓ１を形成した後に、領域ａ’の下端のエラー検出位置でエラーが検出された場合、そこで露光を中断しそのまま出力してもユーザはエラーが発生した画像であることを比較的容易に判別できるので、上述の再露光による元画像と異なる画像の形成を省略できる。
【００４２】
また、上記ステップＳ０４でエラー発生を検出しないまま露光が終了すれば（Ｓ１０）、通常の次の画像形成工程（後述のＳ１１乃至Ｓ１３）に移行する。
【００４３】
上記ステップＳ０８乃至Ｓ１０における画像形成の終了後、図１において、剥離部材１８ａがドラム１０に接近し記録紙をドラム１０から剥離した後、記録紙をガイド部１５に導き、ガイド部１５でガイドしながら搬送ローラ対１８ｃまで搬送した後、搬送ローラ対１８ｃを一時的に停止し、ガイド部１５を図１の破線位置まで回動させることで開放し、アキュームレート部１８ｂを形成する。そして、ドラム１０側から搬送された記録紙をアキュームレート部１８ｂにアキュームしてから搬送ローラ対１８ｃを駆動し、搬送ローラ対１８ｃにより記録紙を出口１９へと搬送し、更に現像部２１との間の接続部１９ａに搬送する（Ｓ１１）。
【００４４】
次に、現像部２１において出口１９から接続部１９ａを通して搬送されてきた露光後の記録紙について現像部２３、定着部２４、安定部２５、乾燥部２６で各処理を行い（Ｓ１２）、現像された記録紙を搬送ローラ対２７ａ等により排出部２７から装置外部の記録紙受部２８へと排出し、画像形成された記録紙の出力が完了する（Ｓ１３）。
【００４５】
以上のように、図１乃至６の画像形成装置によれば、記録紙に対する露光中にエラーを検出した場合、その露光処理を中断し、元画像と異なる画像を別データで再露光しすることで、エラーを発生した出力物（記録紙）であるか否かを容易に判別できる。
【００４６】
上述のように、エラーの発生した出力物が容易に判別可能となるので、画像データ欠損等のエラーが発生したとき、記録紙を図１のアキュームレート部１８ｂに廃棄しないで済み、正常終了した画像と同様に現像処理を行うことができる。これにより、アキュームレート部１８ｂから記録紙を取り除く必要がなくなり、エラー解除が容易かつ短時間で可能となる。
【００４７】
次に、同一の記録紙に複数の画像を配置して露光する場合にエラーを検出したときの元画像と異なる画像の露光について図８を参照して説明する。図８のように、記録紙Ｓに複数の画像Ｓ３乃至Ｓ０８を割り付けて露光する場合、画像Ｓ３〜Ｓ７までの露光が正常に終了し、画像Ｓ０８の露光中にエラーが検出された場合には、画像Ｓ０８の画像形成予定領域のみを対象として再露光を行う。
【００４８】
以上のように、同一の記録紙に複数画像を配置して露光する場合に、再露光する領域を元画像の画像形成予定領域に限ることにより、エラーが発生していない画像Ｓ３〜Ｓ７ヘの影響をなくすことができる。
【００４９】
また、上述のように、検出されるエラーの種類に応じて、再露光する画像の色・パターンを変えることで、エラー発生状況の把握を容易にすることができる。例えば、上述のようにエラーがハードディスク部４２からの画像データの読み出しが遅延したために検出された場合、ハードディスク部４２で振動等の影響でエラーが発生したと把握できる。なお、この場合、ハードディスクにおける記憶領域を変えることで、自動的に復帰可能であるので、次の画像形成は、通常、正常に行うことができ、特別の対策は不要である。
【００５０】
また、エラーの種類として、上述のハードディスク部の不具合、複数のハードディスク部を備える場合には特定のハードディスクの不具合、画像データの欠落等があり、これらの種類毎に元画像と異なる色・パターンの画像で再露光する。
【００５１】
以上のように本発明を実施の形態により説明したが、本発明はこれらに限定されるものではなく、本発明の技術的思想の範囲内で各種の変形が可能である。例えば、図６では、エラー発生位置に基づいてそのまま露光を中断し画像形成を終了するかまたは元画像と異なる画像を再露光するかを判断するようにしたが、かかる判断を省略し、一律に元画像と異なる画像を再露光するようにしてもよく、この構成によれば制御が簡単となる。
【００５２】
また、画像形成装置における画像を形成する手段として、図１，図２のような露光方式に限定されずに、他の画像形成手段であってもよいことは勿論であり、例えば、電子写真方式、インクジェット方式、昇華転写方式または感熱方式であってもよい。また、記録材料としては感光紙等の記録紙に限定されずに、画像形成手段に対応して、昇華転写記録材料や感熱記録材料であってよいことは勿論である。
【００５３】
【発明の効果】
本発明によれば、露光中にエラーが発生した場合、エラーを発生した出力物である画像形成された記録材料を容易に判別できるようにした画像形成装置を提供できる。
【図面の簡単な説明】
【図１】本実施の形態による画像形成装置の内部を正面側から見た図である。
【図２】図１の画像形成装置のドラム及び光学ユニットを上部から見た要部平面図である。
【図３】図１，図２の画像形成装置の制御系に関するブロック図である。
【図４】図３のＦＩＦＯメモリのステータスフラグを用いて露光部に対する画像データ欠損によるエラーを検出する第１の手段を説明するための図である。
【図５】図３においてエラーを検出する第２の手段を説明するためのフローチャートである。
【図６】図１乃至図５の画像形成装置の動作を説明するためのフローチャートである。
【図７】本実施の形態において記録紙に形成された画像を示す図であり、正常に画像を形成した様子を模式的に示す図（ａ）及びエラーが検出されて元画像と異なる画像を形成した様子を模式的に示す図（ｂ）である。
【図８】本実施の形態において同一の記録紙に複数の画像を配置して露光する場合にエラーを検出したときの元画像と異なる画像の露光について説明するための図である。
【符号の説明】
１・・・画像形成装置
１１・・・露光部（画像形成部）
１０・・・ドラム
１８ｂ・・・アキュームレート部
２１・・・現像部
３７・・・ロータリエンコーダ
４１・・・ＣＰＵ
４２・・・ハードディスク部
４４・・・ＦＩＦＯメモリ（メモリ）
４５・・・エラー検出部
Ｓ・・・記録紙
Ｓ１・・・元画像
Ｓ２・・・元画像と異なる画像
【図１】
2004314393.tif 000003
【図２】
2004314393.tif 000004
【図３】
2004314393.tif 000005
【図４】
2004314393.tif 000006
【図５】
2004314393.tif 000007
【図６】
2004314393.tif 000008
【図７】
2004314393.tif 000009
【図８】
2004314393.tif 000010